(57)【特許請求の範囲】
【請求項１】
ブラインドリベット用取付け工具本体の後端部に回収容器を着脱可能に装着して、工具先端部から前記回収容器に通ずる内部通路を減圧真空化することにより、リベットから引き抜かれたマンドレルを後端部側に吸引して前記回収容器に排出するようにし、前記回収容器の入り口付近で前記マンドレルの通過を検出するセンサーと、前記センサーからの検出信号に基づいて前記マンドレルの通過数を計数する信号カウンターと、前記カウンターで計数した結果を表示する表示器と、を備え、
前記カウンター及び前記表示器はブラインドリベット用取付け工具本体に一体的に備えるものであるブランイドリベット用リベット取付け工具のリベット打ち数の計数装置。
【請求項２】
後端部に着脱可能に装着された回収容器と、ブラインドリベットに挿入される先端部と、を有し、前記先端部から前記回収容器に通ずる内部通路を減圧真空化することにより、前記ブラインドリベットから引き抜かれたマンドレルを後端部側に吸引して前記回収容器に排出し、
前記回収容器の入り口付近で前記マンドレルの通過を検出するセンサーと、前記センサーからの検出信号に基づいて前記マンドレルの通過数を計数する信号カウンターと、前記信号カウンターで計数した結果を表示する表示器とを一体的に備えるブラインドリベット用リベット取付け工具。
【発明の詳細な説明】
【技術分野】
【０００１】
本発明は、片側から複数の母材をワン・アクションで締結できるブラインドリベット（リベットを差し込んだ方からかしめることができるもの）用リベット取付け工具に関する。さらに詳述すると、本発明は、リベット打ちに伴って回収するマンドレルを利用してリベット打ち数をカウントする計数装置に関する。
【背景技術】
【０００２】
従来、ブラインドリベットのための様々な種類のリベット取付け工具が知られている。その幾つかは、ばね作動システム、空気作動システム、油圧作動システム及びこれらの組み合わせを含む。これらリベット取付け工具においては、リベット取付け工具に対するブラインドリベットの装填作業は人手によって行われるのが一般的である。したがって、リベット取付け工具においては、工具先端部のチャック領域から使用済みのマンドレルを効果的に取り除く手段を設けるのが望ましい。
【０００３】
そこで、取付け工具本体の後端部にマンドレル回収容器を着脱自在に装着して、工具先端部から回収容器に通ずる内部通路を減圧真空化することにより、使用済みのマンドレルを後部側に吸引して回収容器に排出するようにしたマンドレル回収装置を設けたものがある。例えば、特開平２−２３５５４１号公報には、リベット取付機構の動力源となる高圧空気を利用し、その高圧空気の一部を副管路により回収容器のトランスジューサー（真空発生手段）に供給して、内部通路から回収容器内を真空化することにより、マンドレルを回収容器に排出し回収することが示されている。
【先行技術文献】
【特許文献】
【０００４】
【特許文献１】特開平２−２３５５４１号公報
【発明の概要】
【発明が解決しようとする課題】
【０００５】
しかしながら、いずれのブラインドリベット用リベット取付け工具のためのマンドレル回収システムも、使用済みのマンドレルを工具の後部側に吸引して回収容器に排出するようにしたものであり、単にマンドレルを回収するだけのものである。
【０００６】
したがって、１工程当たりに何本のリベットを使って締結作業を行ったかを確認することができない。特に、大形製品にリベット締結作業においては、リベット締結箇所が膨大なものとなるため、確認作業が困難となる。このため、リベットで締結する箇所が多数となる製品の組み立ての際には、リベット打ち忘れ箇所の有無を検査するのに時間がかかる問題を有する。特に、製品が大型の場合には、全面についてリベットの打ち忘れ箇所を検査するのに多くの時間を要することとなる。
【０００７】
そこで本発明は、回収マンドレルの数からリベット打ち数をカウントできるブラインドリベット用リベット取付け工具及びそのリベット打ち数の計数装置を提供することを目的とする。
【課題を解決するための手段】
【０００８】
かかる目的を達成するために請求項１記載の発明にかかるブラインドリベット用リベット取付け工具のリベット打ち数の計数装置は、ブラインドリベット用取付け工具本体の後端部に回収容器を着脱可能に装着して、工具先端部から回収容器に通ずる内部通路を減圧真空化することにより、リベットから引き抜かれたマンドレルを後端部側に吸引して回収容器に排出するようにし、回収容器の入り口付近でマンドレルの通過を検出するセンサーと、センサーからの検出信号に基づいてマンドレルの通過数を計数する信号カウンターと、前記カウンターで計数した結果を表示する表示器とを一体的に備えるようにしている。
【０００９】
また、請求項２記載の発明に係るブラインドリベット用リベット取付け工具は、後端部に着脱可能に装着された回収容器と、ブラインドリベットに挿入される先端部と、を有し、先端部から回収容器に通ずる内部通路を減圧真空化することにより、ブラインドリベットから引き抜かれたマンドレルを後端部側に吸引して回収容器に排出し、回収容器の入り口付近でマンドレルの通過を検出するセンサーと、センサーからの検出信号に基づいてマンドレルの通過数を計数する信号カウンターと、信号カウンターで計数した結果を表示する表示器とを一体的に備えるようにしている。
【発明の効果】
【００１０】
請求項１記載のブランイドリベット用リベット取付け工具のリベット打ち数の計数装置では、リベットから引き抜かれたマンドレルが回収容器に回収されると同時にセンサーでマンドレルの通過が検出され、その通過数が検出信号に基づいてカウンターで計数され、表示器に表示される。したがって、１工程当たりに何本のリベットを使って締結作業を行ったかを直ぐに確認できる。このため、１つの製品あるいは１工程当たりのリベット締結箇所は予め定まっており作業指導表などで確認できるので、回収マンドレルの数とリベット締結箇所数とが一致すればリベットの打ち忘れ箇所が存在しないことが一目瞭然となる。このため、リベットの打ち忘れ箇所の検査を省略することができる。また、回収マンドレルの数とリベット締結箇所数とが一致しない場合にも、リベットの打ち忘れ箇所が存在していることが明らかとなるため、リベット打ち忘れ箇所を探し出すのも時間のかからないものとなる。
【００１１】
また、請求項２記載のブランイドリベット用リベット取付け工具では、カウンター及び表示器がブラインドリベット用取付け工具本体に一体的に備えられているので、リベット打ち作業中にリベット打ち数を常時確認できる。
【図面の簡単な説明】
【００１２】
【図１】本発明にかかるブランイドリベット用リベット取付け工具及びそのリベット打ち数の計数装置を実施した一例を示す側面図である。
【発明を実施するための形態】
【００１３】
以下、本発明の構成を図面に示す実施形態に基づいて詳細に説明する。
【００１４】
図１に、本発明のブランイドリベット用リベット取付け工具のリベット打ち数の計数装置の実施形態の一例を示す。尚、ブラインドリベット用リベット取付け工具の作動システム並びにマンドレル排出構造については既に種々の手法が公知であると共に本発明はこれらシステム並びに排出構造において特定のものに制限を受けるものでもないため、ここで図示して説明することは省略する。尚、本実施形態では、空気圧を動力源として作動するピストン作用によりブラインドリベットのマンドレルを引き寄せて、リベットを被加工物に取付けるようにしたリベット取付け工具に適用した例を挙げて説明している。
【００１５】
リベット取付け工具１の後部にはマンドレル回収容器２がアダプタ３を介して着脱自在に装着されている。このマンドレル回収容器２は、図示していないが、例えばトランスデューサーと連通されており、トランスデューサーに加圧空気管路を必要に応じて接続することによりあるいは常時接続することにより、空気を通すことによって真空にされる。この回収容器２の内部を真空にすることにより、引き寄せられるマンドレル（図示省略）をリベット取付け工具のマンドレル案内管を通して回収容器２に引き入れる。
【００１６】
マンドレル回収容器２の入り口あるいは図示していないマンドレル案内管の開放端近傍には、吸引されたマンドレルを検知するためのセンサ４が配置されている。このマンドレル検知センサ４は、近接センサや磁気センサ、赤外線センサ、光電管などの種々のセンサを採用することができる。本実施形態の場合、近接センサが採用されている。そして、このマンドレル検知センサ４でマンドレル案内管の開放端あるいはマンドレル回収容器２の入り口をマンドレルが通過したことを検知したとき、カウンター５へ向けて信号を出力し、カウンターを作動させる。カウンター５では、マンドレルの通過回数を計数し、表示器６に表示する。マンドレルの通過回数は累積され、リセットされるまでの回収されたマンドレルの本数を表示することとなる。
【００１７】
以上のように構成されたブランイドリベット用リベット取付け工具のリベット打ち数の計数装置によれば、リベット取付け工具１の後端部に回収容器２を装着して、工具先端部から回収容器２に通ずる内部通路を例えば減圧真空化することにより、使用済みのマンドレルを後部側に吸引して回収容器２に回収すると共に、回収されたマンドレルの数を計数して表示することができる。
【００１８】
リベット締結作業は、リベット取付け工具１の先端のノーズピース７にブラインドリベットのマンドレルを差し込みリベットを装着した後、組み立て部品の孔にリベット本体を挿入して、あるいは組み立て部品の孔位置に合わせリベット本体を挿し込んだ状態でリベット取付け工具１の先端のノーズピース７をマンドレルに挿し込んでから行う。リベット取付け工具１を組み立て部品に対して垂直に押し当て、締結される部品どうし、リベットのフランジ及びノーズピース７の各々が密着した状態にて、リベット取付け工具１のトリガーレバーを引く。これにより、マンドレルがリベット取付け工具１内側へ引き込まれ、リベット本体をかしめて部品同士を締結する。その後、マンドレルを切り離し、使用済みマンドレルをマンドレル案内管を通してマンドレル回収容器２へ排出する。
【００１９】
リベット本体から切り離された使用済みマンドレルは、回収容器２に引き入れられて回収されると同時に、回収容器２の入り口付近（あるいはマンドレル案内管の開放端付近）のマンドレル検知センサ４でマンドレル回収容器２の入り口を通過したことを検知される。マンドレル検知センサ４の出力信号は、カウンター５を作動させる。カウンター５では、マンドレルの通過回数を計数し、表示器６に表示する。マンドレルの通過回数は累積され、リセットされるまでの回収されたマンドレルの本数を表示することとなる。
【００２０】
ここで、リベット締結作業は、カウンター５の表示器６の値を読みとってマンドレルの回収を確認した後、次の締結に移ることが好ましい。この場合、締結不良の有無を簡易に判断することができる。そして、一連の締結作業が終了した後、カウンター５の読み取り値を表示器６で確認して、１工程当たりに何本のリベットを使って締結作業を行ったかを確認する。１つの製品あるいは１工程当たりのリベット締結箇所は予め定まっており作業指導表などで確認できるので、回収マンドレルの数とリベット締結箇所数とが一致すればリベットの打ち忘れ箇所が存在しないことが一目瞭然となる。このため、リベットの打ち忘れ箇所の検査を省略することもできる。また、回収マンドレルの数とリベット締結箇所数とが一致しない場合にも、リベットの打ち忘れ箇所が存在していることが明らかとなるため、そのことを前提に検査をするので、リベット打ち忘れ箇所を探し出すのも時間のかからないものとなる。尚、回収された使用済みマンドレルは、回収容器２をアダプタ３からとりはずことにより、廃棄場所に簡単に廃棄して空にできる。
【００２１】
なお、上述の形態は本発明の好適な形態の一例ではあるがこれに限定されるものではなく本発明の要旨を逸脱しない範囲において種々変形実施可能である。例えば、本実施形態では、カウンター５と表示器６とはリベット取付け工具１そのものに備え付けるようにしているが、これに特に限られるものではなく、工具本体とは離れた所に設置されるようにしても良い。また、上述の実施形態ではマンドレル回収容器２にマンドレル検知センサ４を接着などで取り付けるようにしているが、これに限られずリベット取付け工具１の本体側例えばマンドレル案内管の開放端周囲に設置するようにしても良い。さらに、リベット取付け工具１の作動システムの駆動源や、マンドレル回収システムの排出構造並びに駆動源などには一切制限を受けるものでもない。
【符号の説明】
【００２２】
１  リベット取付け工具
２  マンドレル回収容器
４  マンドレル検知センサ
５  カウンター
６  表示器
【図１】
0005701028.tif 000002